(57)【要約】      （修正有）【課題】測定用テープのケース内への巻き取りが終りに近づいてきたとき、測定用テープの巻き取り速度を自動で減速させることができる巻尺を提供する。【解決手段】回転ローラ１０４の回転軸１０６が、回転ドラム６の支持軸１０に並行に位置するように回転ローラ１０４を配し、且つ、測定用テープ２の回転ドラム６への巻き取りが終わりに近づいたときに回転ローラ１０４が測定用テープ２に接触して回転するように、また、引き続き回転ドラム６に巻き取られていく測定用テープ２により、回転ローラ１０４と測定用テープ２との接触圧が大きくなるように、回転ドラム６の半径方向外側の適宜位置に回転ローラ１０４を設けている。【選択図】図１
2020051825.tif 000002
【特許請求の範囲】
【請求項１】
引き出された測定用テープが、ケース内の回転ドラムに自動で巻き取られるように構成されている自動巻き取り式の巻尺であって、
上記ケース内における上記回転ドラムの半径方向外側に、回転ローラが、該回転ローラの回転軸が上記回転ドラムの回転軸に概ね並行するように設けられており、
且つ、上記回転ドラムに上記測定用テープが巻き取られていくことに伴い、上記回転ローラと該測定用テープとの接触圧が大きくなるように構成されていることを特徴とする巻尺。
【請求項２】
上記回転ローラは、ケース内に一端が固定された可撓性を有する支持体の他端に設けられていることを特徴とする請求項１に記載の巻尺。
【請求項３】
上記回転ローラは、ケース内に一端が回動可能に設けられた支持体の他端に設けられており、また、該支持体は、一端が固定された弾性部材と接続されていることを特徴とする請求項１に記載の巻尺。
【請求項４】
上記回転ローラの回転軸が軸受けに支持されており、また、上記回転軸は、上記軸受けの受け孔内を回転ドラムの半径方向に動くことができるように構成されていることを特徴とする請求項１に記載の巻尺。
【請求項５】
上記回転ローラが弾性を有していることを特徴とする請求項１に記載の巻尺。
【請求項６】
上記ケース内に設けられた回転ダンパの回転軸に、上記回転ローラの回転が伝達可能に構成されていることを特徴とする請求項１に記載の巻尺。
【請求項７】
上記回転ローラは、上記測定用テープの出入口の反対側となる回転ドラムの後側且つ下側の位置に配置されていることを特徴とする請求項１に記載の巻尺。
【請求項８】
引き出された測定用テープが、ケース内の回転ドラムに自動で巻き取られるように構成されている自動巻き取り式の巻尺であって、
上記ケース内における上記回転ドラムの半径方向外側に回転ダンパが設けられており、そのダンパ回転軸が、上記回転ドラムの回転軸に概ね並行であり、
上記ダンパ回転軸は、該ダンパ回転軸に備える固定ローラが上記回転ドラムに巻き取られていく上記測定用テープに接触することによって回転し、
且つ、上記回転ドラムに上記測定用テープが巻き取られていくことに伴い、上記固定ローラと該測定用テープとの接触圧が大きくなるように構成されていることを特徴とする巻尺。
【請求項９】
上記回転ダンパは、ケース内に一端が固定された可撓性を有する支持体の他端に設けられていることを特徴とする請求項８に記載の巻尺。
【請求項１０】
上記固定ローラが弾性を有していることを特徴とする請求項８に記載の巻尺。
【請求項１１】
上記固定ローラは、上記測定用テープの出入口の反対側となる回転ドラムの後側且つ下側の位置に配置されていることを特徴とする請求項８に記載の巻尺。
【発明の詳細な説明】
【技術分野】
【０００１】
本発明は、ケースの外に引き出された測定用テープを自動でケース内に巻き取れるように構成されている自動巻き取り式の巻尺に関し、より詳しくは、測定用テープの巻き取りが終りに近づいてきたときに自動で巻き取り速度が減速するように構成された巻尺に関する。
【背景技術】
【０００２】
従来、自動巻き取り式の巻尺は、測定用テープをケース外に引き出すことにより、ケース内に設けられ、測定用テープを周囲に巻き回する巻き回収容体たる回転ドラム内のぜんまいばねが付勢されて、ケース外に引き出された測定用テープをケース内に引き込んで該回転ドラムの周囲に巻き回するための力が蓄積されるようになっている。
【０００３】
これにより、ケース外に引き出した測定用テープから手を離し、または、制動手段による制動を解除すると、ぜんまいばねに蓄積された力が解放され、このぜんまいばねが初期状態へ復帰しようとする復帰力により回転ドラムが回転させられ、ケース外に引き出された測定用テープがケース内に引き込まれるとともに、回転ドラムの周囲に巻き回される。
【０００４】
ぜんまいばねには、回転ドラムを回転させてケース外に引き出された測定用テープをケース内に引き込むとともに、この回転ドラムの周囲に巻き回するための力（復帰力）が要求され、しかも、この力（復帰力）を長期に渡り確実に発生させなければならないために強力なトルクを発生できるものが用いられている。
【０００５】
また、ぜんまいばねの特性として、測定用テープを長く引き出せば引き出すほど大なる付勢力がぜんまいばねに蓄積されるため、１メートル引き出した測定用テープがケース内に引き込まれる速度に比し、２メートル、３メートルとより長く引き出した測定用テープがケース内に引き込まれる場合の速度は、さらに引き込み速度が加速されて非常に速くなっていくのである。
【０００６】
そして、ケース内に引き込まれる測定用テープは、測定用テープの先端フックがケースの測定用テープ出入口に備えるダンパに当接して停止するため、先端フックに掛かる衝撃が非常に強く、これによって先端フックにストレスが蓄積して巻尺本体の耐用年数よりも早くに損傷また破損してしまう問題があった。
【０００７】
また、測定用テープは非常に速い速度でケース内に引き込まれるため、測定用テープが暴れて跳ね返り、その跳ね返った測定用テープや測定用テープの先端フック、さらにはテープのエッジが使用者や周囲の者に当った場合は、打撲や裂傷などの怪我を負ってしまう問題があった。
【先行技術文献】
【特許文献】
【０００８】
【特許文献１】特開平０８−００５３０１号公報
【特許文献２】特開２００２−０３１５０１号公報
【発明の概要】
【発明が解決しようとする課題】
【０００９】
本発明は、測定用テープのケース内への巻き取りが終りに近づいてきたとき、測定用テープの巻き取り速度を自動で減速させることができる巻尺を提供することを目的とする。
【課題を解決するための手段】
【００１０】
本発明の巻尺の一実施例においては、引き出された測定用テープが、ケース内の回転ドラムに自動で巻き取られるように構成されている自動巻き取り式の巻尺であって、上記ケース内における回転ドラムの半径方向外側の適宜位置に、回転ローラが、回転ローラの回転軸が回転ドラムの回転軸に概ね並行するように設けられており、且つ、回転ドラムに測定用テープが巻き取られていくことに伴い、回転ローラと測定用テープとが圧接されていくように構成されていることを特徴とする。上述の回転ローラの回転軸は、回転ローラの回転方向を決めている軸であり、軸は、回転ローラに固定的に設けられる場合や、回転ローラと軸とが固定されてなくて、軸によって回転ローラが自由回転可能に支持されるように設けられる場合がある。回転ローラは測定用テープに接触することによって回転する。
【００１１】
また一実施例においては、回転ローラは、ケース内に一端が固定された可撓性を有する支持体の他端に設けられていることを特徴とする。
【００１２】
回転ローラは、ケース内に一端が回動可能に設けられた支持体の他端に設けられており、この支持体は、一端が固定された弾性部材と接続されていることを特徴とする。
【００１３】
また一実施例においては、回転ローラの回転軸が軸受けに支持されており、この回転軸は、軸受けの受け孔内を回転ドラムの半径方向に動くことができるように構成されていることを特徴とする。
【００１４】
また一実施例においては、回転ローラが弾性を有していることを特徴とする。
【００１５】
また一実施例においては、ケース内に設けられた回転ダンパの回転軸に、回転ローラの回転が伝達可能に構成されていることを特徴とする。
【００１６】
また一実施例においては、回転ローラは、測定用テープの出入口の反対側となる回転ドラムの後側且つ下側の位置に配置されていることを特徴とする。
【００１７】
また一実施例においては、引き出された測定用テープが、ケース内の回転ドラムに自動で巻き取られるように構成されている自動巻き取り式の巻尺であって、上記ケース内における回転ドラムの半径方向外側の適宜位置に回転ダンパが設けられており、そのダンパ回転軸が、回転ドラムの回転軸に概ね並行であり、ダンパ回転軸は、ダンパ回転軸に備える固定ローラが回転ドラムに巻き取られていく測定用テープに接触することによって回転し、且つ、回転ドラムに測定用テープが巻き取られていくことに伴い、固定ローラと測定用テープとの接触圧が大きくなるように構成されていることを特徴とする。
【００１８】
また一実施例においては、回転ダンパは、ケース内に一端が固定された可撓性を有する支持体の他端に設けられていることを特徴とする。
【００１９】
また一実施例においては、固定ローラが弾性を有していることを特徴とする。
【００２０】
また一実施例においては、固定ローラは、測定用テープの出入口の反対側となる回転ドラムの後側且つ下側の位置に配置されていることを特徴とする。
【図面の簡単な説明】
【００２１】
【図１】本発明の一実施例における巻尺を一部切り欠いて示す側面図。
【図２】図１に示した切欠き部分の拡大図。
【図３】他の実施例における巻尺を一部切り欠いて示す側面図。
【図４】他の実施例における巻尺を一部切り欠いて示す側面図。
【図５】回転ローラの一実施例を示す図。
【図６】回転ローラの支持形態の一実施例を示す図。
【図７】他の実施例における巻尺を一部切り欠いて示す側面図。
【図８】図７に示した切欠き部分の拡大図。
【図９】他の実施例における巻尺を一部切り欠いて示す側面図。
【図１０】図９に示した切欠き部分の拡大図。
【発明を実施するための形態】
【００２２】
本発明の巻尺について、添付の図面を参照しつつ説明する。実施例に示している巻尺１は、測定用テープ２がケース４の外部に引き出されていくと、回転ドラム６が測定用テープ２の引き出し方向に回転し、回転ドラム６に内装するばね８が巻かれていってばね８に付勢力が蓄積していく。また、引き出された測定用テープ２が離されると、ばね８に蓄積された付勢力が解放されて回転ドラム６が測定用テープ２の巻き取り方向に回転し、測定用テープ２がケース４の内部に引き込まれることに伴って、回転ドラム６の周囲に巻き取られるように構成されている。
【００２３】
図１に示す一実施例は、巻尺１に、一端がケース４の内部に固定された可撓性を有する（弾性を有する）支持体１０２の他端に、少なくとも表面に回転抵抗を有する回転ローラ１０４が回転ドラム６の半径方向外側（支持軸１０の遠心方向）におけるケース４の内部の背面側に設けられた一実施例である。
【００２４】
また、回転ローラ１０４は、形成する素材の仕様（表面が有する摩擦の強弱）によっては、回転抵抗が生じるよう表面に縦ないし横方向の溝が設けられたり、突状や突起が設けられたり、表面に回転抵抗が生じる処理が実施される。
【００２５】
回転ローラ１０４は、回転軸１０６が回転ドラム６の支持軸１０と並行になるように設けられていて、引き出されている測定用テープ２が回転ドラム６に巻き取られていくに従い測定用テープ２に接触して回転することに伴い、引き続き回転ドラム６に巻き取られていく測定用テープ２により、固定ローラ１１８と測定用テープ２とが圧接していく。すなわち、回転ローラ１０４と測定用テープ２との接触圧が大きくなっていく。
【００２６】
回転ローラ１０４の動きを図２にて説明する。回転ローラ１０４と回転ドラム６に巻き取られていく測定用テープ２との間に隙間が空いている図１の状態から測定用テープ２が回転ドラム６に巻き取られていって巻き回された径が大きくなると、図２（ａ）に示すように、回転ローラ１０４と回転ドラム６に巻き取られた測定用テープ２とが接触し、回転ローラ１０４が回転する。そして、引き続き測定用テープ２が回転ドラム６に巻き取られていくと、回転ドラム６に巻き取られていく測定用テープ２が回転ローラ１０４に押し付けられていく。
【００２７】
そして、測定用テープ２が回転ローラ１０４に押し付けられていくことで、図２（ｂ）に示すように、支持体１０２も回転ドラム６の半径方向外側（支持軸１０の遠心方向）に押され、固定部１１４を支点に支持体１０２が押された方向にしなる（変形する）。なお、支持体１０２は、固定部１１４を支点に押された方向に変形（湾曲状に弾性変形）するが、押圧力が除かれると、図１に示した位置（初期位置）に自動復帰する。
【００２８】
そして、変形した支持体１０２は、支持体１０２に生じた応力によって回転ローラ１０４を回転ドラム６に巻き取られた測定用テープ２の表面に押圧していく。すなわち、回転ローラ１０４と測定用テープ２との接触が強くなっていく（圧接していく）。この回転ローラ１０４による測定用テープ２の表面への押圧が進行することにより測定用テープ２の表面と回転ローラ１０４の表面との接触抵抗が増加していって回転ドラム６を減速させる制動力（回転減速力）が生じ、回転ドラム６が減速されることに伴って、回転ドラム６に巻き取られている測定用テープ２の巻き取り速度も減速される。
【００２９】
図３に示す一実施例は、巻尺１の内部における背面側（ケース４の測定用テープ２の出入口の反対側）に、一端がケース４の内部に回転軸１００によって自由回転可能に設けられた支持体１０２の他端に、回転ローラ１０４が設けられている。そして、回転ローラ１０４が回転ドラム６の半径方向外側（支持軸１０の遠心方向）におけるケース４の内部の背面側に設けられた一実施例である。
【００３０】
また、回転ローラ１０４は、形成する素材の仕様（表面が有する摩擦の強弱）によっては、回転抵抗が生じるよう表面に縦ないし横方向の溝が設けられたり、突状や突起が設けられたり、表面に回転抵抗が生じる処理が実施される。
【００３１】
そして、回転ローラ１０４は、回転軸１０６が回転ドラム６の支持軸１０と並行になるように設けられていて、引き出されている測定用テープ２が回転ドラム６に巻き取られていくに従い測定用テープ２に接触して回転することに伴い、引き続き回転ドラム６に巻き取られていく測定用テープ２により、回転ローラ１０４と測定用テープ２とが圧接していく。すなわち、回転ローラ１０４と測定用テープ２との接触圧が大きくなっていく。
【００３２】
回転ローラ１０４の動きを図３にて説明する。回転ローラ１０４と回転ドラム６に巻き取られていく測定用テープ２との間に隙間が空いている状態（図１を参照）から測定用テープ２が回転ドラム６に巻き取られていって巻き回された径が大きくなると、図３（ａ）に示すように、回転ローラ１０４と回転ドラム６に巻き取られた測定用テープ２とが接触し、回転ローラ１０４が回転する。そして、引き続き測定用テープ２が回転ドラム６に巻き取られていくと、回転ドラム６に巻き取られていく測定用テープ２が回転ローラ１０４に押し付けられていく。
【００３３】
そして、測定用テープ２が回転ローラ１０４に押し付けられていくことで、図３（ｂ）に示すように、支持体１０２も回転ドラム６の半径方向外側（支持軸１０の遠心方向）に押されて回転軸１００を支点に押された方向に回動し、初期位置のばね２００を押し込んでいく。なお、支持体１０２は回転軸１００を支点に押された方向に回動するが、押圧力が除かれると、ばね２００の復元力（応力）によって初期位置に自動復帰する。また、用いるばね２００も特に限定するものではなく、圧縮コイルばね、板ばね、ねじりコイルばね等を用いればよい。
【００３４】
そして、変形した支持体１０２は、ばね２００に生じた復元力（応力）によって回転ローラ１０４を回転ドラム６に巻き取られた測定用テープ２の表面に押圧していく。すなわち、回転ローラ１０４と測定用テープ２との接触が強くなっていく（圧接していく）。この回転ローラ１０４による測定用テープ２の表面への押圧が進行することにより測定用テープ２の表面と回転ローラ１０４の表面との接触抵抗が増加していって回転ドラム６を減速させる制動力（回転減速力）が生じ、回転ドラム６が減速されることに伴って、回転ドラム６に巻き取られている測定用テープ２の巻き取り速度も減速される。
【００３５】
図４に示す一実施例は、巻尺１の内部における背面側（ケース４の測定用テープ２の出入口の反対側）に、一端がケース４の内部に固定された支持体１０２の他端に、弾性を有する回転ローラ１０４が設けられている。そして、回転ローラ１０４が回転ドラム６の半径方向外側（支持軸１０の遠心方向）におけるケース４の内部の背面側に設けられた一実施例である。
【００３６】
そして、回転ローラ１０４は、回転軸１０６が回転ドラム６の支持軸１０と並行になるように設けられていて、引き出されている測定用テープ２が回転ドラム６に巻き取られていくに従い測定用テープ２に接触して回転することに伴い、引き続き回転ドラム６に巻き取られていく測定用テープ２により、回転ローラ１０４と測定用テープ２とが圧接していく。すなわち、回転ローラ１０４と測定用テープ２との接触圧が大きくなっていく。
【００３７】
回転ローラ１０４の動きを図４にて説明する。回転ローラ１０４と回転ドラム６に巻き取られていく測定用テープ２との間に隙間が空いている状態（図１を参照）から測定用テープ２が回転ドラム６に巻き取られていって巻き回された径が大きくなると、図４（ａ）に示すように、回転ローラ１０４と回転ドラム６に巻き取られた測定用テープ２とが接触し、回転ローラ１０４が回転する。そして、引き続き測定用テープ２が回転ドラム６に巻き取られていくと、回転ドラム６に巻き取られていく測定用テープ２が回転ローラ１０４に押し付けられていく。
【００３８】
そして、測定用テープ２が回転ローラ１０４に押し付けられていくことで、図４（ｂ）に示すように、回転ローラ１０４の表面が変形（つぶれ）していき、この変形が進行することによって測定用テープ２の表面と回転ローラ１０４の表面との接触抵抗が増加していって回転ドラム６を減速させる制動力（回転減速力）が生じ、回転ドラム６が減速されることに伴って、回転ドラム６に巻き取られる測定用テープ２の巻き取り速度も減速される。
【００３９】
図５は、回転ローラ１０４の形状また形態の一実施例を示している。図５（ａ）は、中央が太くなっている形状（樽状）で、図５（ｂ）は、中央が細くなっている形状で、図５（ｃ）は、複数の回転ローラを備えた一実施例である。図５（ｄ）は、軸方向に貫通孔１０８が設けられた一実施例である。また、図示は省略しているが、図５（ｄ）に近い形態として、回転ローラの内部に空間部分を設けて構成してもよい。図５（ａ）〜（ｄ）に示している回転ローラ１０４は、使用形態に合わせてそれぞれ硬質または弾性を有して形成される。なお、回転ローラ１０４が硬質の素材で形成される場合、素材の仕様（表面が有する摩擦の強弱）によっては、適度な回転抵抗が生じるよう表面に縦ないし横方向の溝が設けられたり、突状や突起が設けられたり、表面に回転抵抗が生じる処理が実施される場合がある。
【００４０】
図６は、回転ローラ１０４の支持形態の一実施例を示している。図６（ａ）は、回転ローラ１０４の両端から突出するそれぞれの軸１１０を支持体１０２で支持している形態で、図６（ｂ）は、左右に２つ並設した回転ローラ１０４を繋ぐ軸１１０を支持体１０２で支持している形態で、図６（ｃ）の左図は、回転ローラ１０４の両端から突出するそれぞれの軸１１０を長細の受け孔１１２を有する軸受けで支持し、軸１１０が受け孔１１２の内部を矢印Ａの方向に動けるようにしている形態である。また、回転ローラ１０４は、ばね２００によって回転ドラム６に巻き取られた測定用テープ２の方向に押されている。また、用いるばね２００も特に限定するものではなく、圧縮コイルばね、板ばね、ねじりコイルばね等を用いればよい。そして、図６（ａ）〜（ｂ）に示している支持体１０２は、使用形態に合わせてそれぞれ硬質または可撓性（弾性）を有して形成される。
【００４１】
図７は、巻尺１に、一端がケース４の内部に固定された支持体１１６の他端に弾性を有する固定ローラ１１８をダンパ回転軸１２０に設けた回転ダンパ１２２が設けられている一実施例である。そして、回転ダンパ１２２が、回転ドラム６の半径方向外側（支持軸１０の遠心方向）におけるケース４の内部の背面側に設けられた一実施例である。
【００４２】
また、回転ダンパ１２２は、ダンパ回転軸１２０が回転ドラム６の支持軸１０と並行になるように設けられていて、そして、ダンパ回転軸１２０に設けられた固定ローラ１１８は、引き出されている測定用テープ２が回転ドラム６に巻き取られていくに従い測定用テープ２に接触して回転することに伴い、この回転ドラム６に巻き取られていく測定用テープ２により、固定ローラ１１８と測定用テープ２とが圧接していく。すなわち、固定ローラ１１８と測定用テープ２との接触圧が大きくなっていく。
【００４３】
固定ローラ１１８の動きを図８にて説明する。固定ローラ１１８と回転ドラム６に巻き取られていく測定用テープ２との間に隙間が空いている図７の状態から測定用テープ２が回転ドラム６に巻き取られていって巻き回された径が大きくなると、図８（ａ）に示すように、回転ダンパ１２２のダンパ回転軸１２０に設けられた固定ローラ１１８と回転ドラム６に巻き取られた測定用テープ２とが接触する。そして、引き続き測定用テープ２が回転ドラム６に巻き取られていくと、回転ドラム６に巻き取られていく測定用テープ２が固定ローラ１１８に押し付けられていく。
【００４４】
そして、測定用テープ２が固定ローラ１１８に押し付けられていくことで、図８（ｂ）に示すように、固定ローラ１１８の表面が変形（つぶれ）していき、この変形が進行することによって測定用テープ２の表面と固定ローラ１１８の表面との接触抵抗が増加していって、固定ローラ１１８が固定されている回転ダンパ１２２のダンパ回転軸１２０が安定して回転していくことに伴って、回転ダンパ１２２の仕様速度に回転が上がる。また、回転ダンパ１２２は、伝達された回転の上昇を抑制する機能を備えていることから、回転ダンパ１２２のダンパ回転軸１２０に固定されている固定ローラ１１８によって回転している回転ドラム６が減速されることに伴って、回転ドラム６に巻き取られている測定用テープ２の巻き取り速度も減速される。
【００４５】
図９は、巻尺１に、一端がケース４の内部に固定された弾性を有する支持体１１６の他端に少なくとも表面に回転抵抗を有する固定ローラ１１８をダンパ回転軸１２０に備える回転ダンパ１２２が設けられている一実施例である。そして、回転ダンパ１２２が、回転ドラム６の半径方向外側（支持軸１０の遠心方向）におけるケース４の内部の背面側に設けられた一実施例である。
【００４６】
また、固定ローラ１１８は、形成する素材の仕様（表面が有する摩擦の強弱）によっては、回転抵抗が生じるよう表面に縦ないし横方向の溝が設けられたり、突状や突起が設けられたり、表面に回転抵抗が生じる処理が実施される。
【００４７】
そして、回転ダンパ１２２は、ダンパ回転軸１２０が回転ドラム６の支持軸１０と並行になるように設けられていて、そして、ダンパ回転軸１２０に設けられた固定ローラ１１８は、引き出されている測定用テープ２が回転ドラム６に巻き取られていくに従い測定用テープ２に接触して回転することに伴い、この回転ドラム６に巻き取られていく測定用テープ２により、固定ローラ１１８と測定用テープ２とが圧接していく。すなわち、固定ローラ１１８と測定用テープ２との接触圧が大きくなっていく。
【００４８】
回転ダンパ１２２の動きを図１０にて説明する。固定ローラ１１８と回転ドラム６に巻き取られていく測定用テープ２との間に隙間が空いている図９の状態から測定用テープ２が回転ドラム６に巻き取られていって巻き回された径が大きくなると、図１０（ａ）に示すように、回転ダンパ１２２のダンパ回転軸１２０に設けられた固定ローラ１１８と回転ドラム６に巻き取られた測定用テープ２とが接触する。そして、引き続き測定用テープ２が回転ドラム６に巻き取られていくと、回転ドラム６に巻き取られていく測定用テープ２が固定ローラ１１８に押し付けられていく。
【００４９】
そして、測定用テープ２が固定ローラ１１８に押し付けられていくことで、図１０（ｂ）に示すように、回転ダンパ１２２が取り付けられている支持体１１６も回転ドラム６の半径方向外側（支持軸１０の遠心方向）に押されて固定部１１４を支点に支持体１１６が押された方向にしなる（変形する）。なお、支持体１１６は固定部１１４を支点に押された方向に変形（湾曲状に弾性変形）するが、押圧力が除かれると、図９に示した位置（初期位置）に自動復帰する。
【００５０】
そして、変形した支持体１１６は、支持体１１６に生じた応力によって回転ダンパ１２２のダンパ回転軸１２０に設けられた固定ローラ１１８を回転ドラム６に巻き取られた測定用テープ２の表面に押圧していく。すなわち、固定ローラ１１８と測定用テープ２との接触が強くなっていく（圧接していく）。この固定ローラ１１８による測定用テープ２の表面への押圧が進行することにより測定用テープ２の表面と固定ローラ１１８の表面との接触抵抗が増加し、固定ローラ１１８が固定されている回転ダンパ１２２のダンパ回転軸１２０が安定して回転していくことに伴って、回転ダンパ１２２の仕様速度に回転が上がる。また、回転ダンパ１２２は、伝達された回転の上昇を抑制する機能を備えていることから、回転ダンパ１２２のダンパ回転軸１２０に固定されている固定ローラ１１８によって回転している回転ドラム６が減速されることに伴って、回転ドラム６に巻き取られている測定用テープ２の巻き取り速度も減速される。
【００５１】
本実施例での図示は省略しているが、ダンパ回転軸１２０に固定ローラ１１８を備える回転ダンパ１２２を、一端がケース４に固定された弾性部材または発条部材に接続すると共に、ケース４の内部に一端が回動可能に設けられ支持体（支持体１１６）の他端に設けているようにしてもよい。この一実施例は、図３に示した回転ローラ１０４を、ダンパ回転軸１２０に固定ローラ１１８を備える回転ダンパ１２２に置き換えた形態である。
【００５２】
そして、回転ローラ１０４、固定ローラ１１８が回転ドラム６に巻き取られていく測定用テープ２に接触する時機は、回転ドラム６に巻き取られる測定用テープ２の巻き取りが終わりに近づいた時機が適する。しかしながら、回転ローラ１０４、固定ローラ１１８は、常に測定用テープ２に接触させておいてもよい。
【００５３】
本実施例では示していないが、回転ローラ１０４、固定ローラ１１８の形状が図５（ａ）、（ｃ）に示す形状に形成した場合は、回転ローラ１０４、固定ローラ１１８の両端が回転ドラム６の幅よりも広くなっていてもよい。また、回転ローラ１０４は、両端が回転ドラム６の両壁の端面１８（図６（ｃ）を参照）に接触していてもよい。この場合、回転ローラ１０４、固定ローラ１１８の中央部分が回転ドラム６に巻き取られていく測定用テープ２で押されていく。
【００５４】
また、本実施例では平面視円形の回転ローラ１０４であるが、回転ドラム６に巻き取られていく測定用テープ２に断続的な抵抗が掛かるよう回転ローラ１０４を平面視楕円形や角形（例えば、四角や五角また六角以上）にしてもよい。また、回転ローラ１０４の回転軸１０６においても断面楕円形や角形（例えば、四角や五角また六角以上）にして、回転ドラム６に巻き取られていく測定用テープ２に掛かる抵抗が増加するようにしてもよい。
【００５５】
そして、本実施例では、回転ドラム６に巻き回される測定テープ２の表面に接触させる回転ローラ１０４、固定ローラ１１８は回転ドラム６の半径方向外側の周囲に一つ設けているが、勿論、回転ドラム６の半径方向外側の周囲に複数配置してもよい。また、複数配置する場合には、上述した複数の一実施例を配置する場所に合わせて選定して、各々配置してもよい。なお、回転ローラ１０４、固定ローラ１１８の配置位置の一実施例としては、ケース４の内部における測定用テープ２の出入口４００側やケース４の内部における背面側３００が挙げられる。
【００５６】
また、支持体１０２および回転ローラ１０４の両方を、弾性を有する素材で形成してもよい。勿論、支持体１１６および固定ローラ１１８を、弾性を有する素材で形成してもよい。
【００５７】
本巻尺ホルダは上述のように構成されているので、測定テープ２がケース４の内部に巻き取られているとき、その巻き取りが終りに近づいてくると自動で測定用テープ２の巻き取り速度を減速させることができる。特に、測定用テープ２を減速させる手段として回転体（ローラ）を用いているので、測定用テープ２の裏面側に印刷されている目盛りを傷付ける恐れも非常に少なく、そして、測定用テープ２をスムーズに減速させることができる。
【００５８】
これにより、測定テープ２の先端に設けられた係止片２０がケース４の測定用テープ２の出入口に備えるダンパ２２に衝突して停止するときの衝撃を低減することができる。さらに、係止片２０の損傷や破損も防止できる。
【００５９】
また、ケース４の測定用テープ２の出入口に備えるダンパ２２を、ゴム板などの弾性体で形成したり、場合によっては無くす（廃止）ことも可能になる。
【００６０】
そして、ケース４の内部に引き込まれる測定用テープ２が暴れて跳ね返ることで使用者や周囲の者へ怪我を負わせてしまう事故も大きく低減されるので、使用者や周囲の者に対する安全性が向上する。また、測定用テープ２が暴れることで生じる測定用テープ２の折れも防止できる。
【００６１】
また、一部の巻尺においては、測定用テープ２を減速させるための回転体（回転ローラ１０４、固定ローラ１１８）が、図１（回転ローラ１０４）、図７（固定ローラ１１８）に示した位置、すなわち測定用テープ２の出入口４００の反対側となるケース４の内部における回転ドラム６の後側且つ下側の位置（ケース４の背面側３００のケース内における下方の位置）に配置されることで、回転ドラム６に巻き回されていく測定用テープ２の巻き径が大きくなっていくことにより生じる、測定用テープ２が回転ドラム６の後方（ケース４の背面側３００の方向）へ飛び出す不具合を防止することができる。これにより、測定用テープ２は安定的に回転ドラム６に巻き回される。
【符号の説明】
【００６２】
１…巻尺
２…測定用テープ
４…ケース
６…回転ドラム
８…ばね
１０…支持軸
１２…内壁
１４…受止部材
１６…軸受け部
１８…端面
２０…係止片
２２…ダンパ
１００…回転軸
１０２…支持体
１０４…回転ローラ
１０６…回転軸
１０８…貫通孔
１１０…軸
１１２…受け孔
１１４…固定部
１１６…支持体
１１８…固定ローラ
１２０…ダンパ回転軸
１２２…回転ダンパ
２００…ばね
３００…背面側
４００…出入口
【図１】
2020051825.tif 000003
【図２】
2020051825.tif 000004
【図３】
2020051825.tif 000005
【図４】
2020051825.tif 000006
【図５】
2020051825.tif 000007
【図６】
2020051825.tif 000008
【図７】
2020051825.tif 000009
【図８】
2020051825.tif 000010
【図９】
2020051825.tif 000011
【図１０】
2020051825.tif 000012